(57)【要約】【課題】魚がルアーを口の中に取り込みラインに所定の引っ張り力が作用すると魚の口の中でルアー本体に設けた起立部材３がルアー表面から起立し、魚を吊り上げることができるルアーを提供する。【解決手段】ルアー本体１と、前記ルアー本体１にその前端が枢着されることによりその枢着軸８を中心に起立自在に設けた起立部材３と、前記ルアー本体１内に収納されルアー本体１内において前方への移動により前記起立部材３を起立させることができる作動部材４とを備えているルアーであって、前記起立部材３は、少なくとも２個以上がルアー本体１の表面に収納されており、かつ起立部材３はルア−本体内部で前記作動部材４と係合するカムを備えており、前記作動部材４は前記カムと係合する係合部を備えていることを特徴とするルアー。【選択図】        図２
2004229525.tif 000002
【特許請求の範囲】
【請求項１】
ルアー本体１と、前記ルアー本体１にその前端が枢着されることによりその枢着軸８を中心に起立自在に設けた起立部材３と、前記ルアー本体１内に収納されルアー本体１内において前方への移動により前記起立部材３を起立させることができる作動部材４とを備えているルアーであって、
前記起立部材３は、少なくとも２個以上がルアー本体１の表面に収納されており、かつ起立部材３はルア−本体内部で前記作動部材４と係合するカムを備えており、前記作動部材４は前記カムと係合する係合部を備えていることを特徴とするルアー。
【請求項２】
前記起立部材３はルアー本体１の表面の一部を切り取って形成した面を備えていることを特徴とする請求項１に記載のルアー。
【請求項３】
前記カムは、起立部材３が閉じ状態の時にカム後端からカム前端に向かってルアー外側から内方に向かう略円弧状の曲線として形成したことを特徴とする請求項１または請求項２に記載のルアー。
【請求項４】
前記カムの前端部には、起立部材３が閉じ状態の時にルアーの中心部から斜め前方外方に向かうカム第１ロック部３ｄが形成されており、作動部材４が作動し前記起立部材３が起立状態に成った時にカム第１ロック部３ｄに前記作動部材４の係合部が係合して起立部材３の倒れを防止できるように構成したことを特徴とする請求項３に記載のルアー。
【請求項５】
前記カムの後端部には前記起立部材３が閉じた状態の時にルアー中心方向に向かうカム第２ロック部３ｅが形成され、カム第２ロック部３ｅに前記作動部材４の係合部が係合して前記起立部材３を閉じ状態に保持し、前記起立部材３がルアー内側に向かう方向に移動し、前記作動部材４が作動状態になることによって起立部材３の閉じ状態を開放し、作動部材４の係合部がカム第２ロック部３ｅから外れて前記カムに沿って起立部材３の前方側への移動できるように構成したことを特徴とする請求項３または請求項４に記載のルアー。
【請求項６】
前記作動部材４は、ルアー本体１内において前後方向に移動可能な第１部材と、同第１部材から起立して形成した第２部材とを備え、前記第２部材に前記カムと係合する係合部が形成され、さらに前記第１部材はルアーの口から前方に突出して形成されていることを特徴とする請求項１〜請求項５のいずれかに記載のルアー。
【請求項７】
前記作動部材４は、弾性部材によって後方に付勢されていることを特徴とする請求項１〜請求項６のいずれかに記載のルアー。
【請求項８】
前記起立部材３は、弾性部材によって起立方向に付勢されていることを特徴とする請求項１〜７のいずれかに記載のルアー。
【請求項９】
前記起立部材３の前端には、ルアー投入時に起立部材３の起立を防止するロック機構が設けられていることを特徴とする請求項１〜請求項８のいずれかに記載のルアー。
【請求項１０】
前記ロック機構は、ルアー本体１内に形成した移動体収納部と、前記移動体収納部に収納されルアー投入時に起立部材前端側に向かって移動可能な移動体と、起立部材前端部に形成した移動体受入部とからなることを特徴とする請求項９に記載のルアー。
【請求項１１】
前記移動体は複数の球で構成され、前記移動体収納部内に遊動可能状態で収納されていることを特徴とする請求項１０に記載のルアー。
【請求項１２】
前記起立部材３の表面側後端は、ルアーの移動時に水流によってルアー中心方向に押圧されるべく面として構成されていることを特徴とする請求項１〜請求項１１のいずれかに記載のルアー。
【請求項１３】
前記起立部材３の表面には魚の歯に絡みつく繊維束が設けられていること特徴とする請求項１〜請求項１２のいずれかに記載のルアー。
【請求項１４】
前記起立部材３の表面には返しを形成したこと特徴とする請求項１〜請求項１３のいずれかに記載のルアー。
【請求項１５】
ルアー本体１と、前記ルアー本体１の表面に設けた起立部材３と、この起立部材を起立させるためのリンク部材とを備えているルアーであって、前記起立部材には少なくとも２本のリンク部材が枢着されており、このリンク部材の下端が軸によってルアー本体側に揺動自在の枢着され、さらに、リンク部材の後方にはストッパ２２が設けられており、起立部材の後方への移動によりリンク部材の作用で起立部材がルアー本体から起立すべく構成されていることを特徴とするルアー。
【請求項１６】
ルアー本体１と、前記ルアー本体１の表面に設けた起立部材３と、この起立部材を起立させるためのリンク部材とを備えているルアーであって、前記起立部材には少なくとも２本のリンク部材が枢着されており、このリンク部材の下端がルアー本体内に設けた摺動部材に枢着され、さらにリンク部材の前方にはストッパ２２が設けられており、摺動部材の前方への移動により起立部材が起立すべく構成したことを特徴とするルアー。
【発明の詳細な説明】
【０００１】
【発明が属する技術分野】
本発明は釣針に関し、特にルアーフィッシング等に使用するに適したフック（針）のない釣針（ルアー）に関するものであり、さらに詳細には、魚がルアーを口の中に取り込みラインに所定の引っ張り力が作用すると魚の口の中でルアー本体に設けた起立部材がルアー表面から起立し、魚を吊り上げることができるルアーに関するものである。
【０００２】
【従来の技術】
前記のようなフックのないルアーとしては特許文献１に記載されたものが公知となっている。
【０００３】
【特許文献１】特公平７−９７９４３号公報
【０００４】
この特許文献に記載されたルアーは、魚がルアーに食いつき、逃げようとすると魚の引きによる力で膨出部材がテンションバネの力に抗して魚の口腔内で膨出し、膨出部材に取り付けた繊維リング或いは滑りを止める小さな返りが口腔内面や歯に引っ掛かり膨出部材が口から抜けないようにして魚を釣り上げることができるというものである。このルアーによれば、従来のようなフックがないため、ロッドを振り出して河川等のポイントにルアーを投げ込んで使用しても、近くの草木にルアーが引っ掛かることが無くなり、またフックが河川の藻などに引っ掛かりルアーの取り込みが困難になる等の不都合が無くなる。更にフックが近くにいる人などに引っ掛かり怪我をさせることも防止できる。またスポーツフィッシングの対象となるブラックバスなどの魚はルアーで釣り上げた後、再び魚をリリースすることが多いが、この場合にもフックがないため、魚に傷が付くことがなく、傷から細菌などが侵入し魚の寿命が縮まることも防止できる。また一端リリースした魚はフックの恐怖から、次のルアーへの食いつきが悪くなるのが普通であるが、この針のない釣針の場合には却って魚の闘争心を掻き立て釣の興味が倍増する等の優れた効果を奏するというものである。
【０００５】
【発明が解決しようとする課題】
しかしながら、前記ルアーは着想としては極めて優れたものではあったが、実用化に向けて種々の試作品などを製作した結果、ルアーに設ける膨出部材の硬さ、弾力性、倒れ等において十分な成果が得られず今日まで実用化するにはいたっていない。
そこで、今回、さらに実用化に向けての種々の開発を進めた結果、起立部材３の硬さ、倒れにくさ等を十分に満足できるルアーの開発に成功した。
本発明はこの知見に基づいて成されたものであり、ルアー本体にその前端が枢着されることによりその枢軸を中心に起立自在に設けた起立部材３とこの起立部材３をカムを使用して起立させることができる作動部材４とを備えたことを基本的な特徴としており、これにより、フック無しのルアーであっても確実に魚を吊り上げることができる。
【０００６】
【課題を解決するための手段】
このため本発明が講じた技術手段は、
ルアー本体１と、前記ルアー本体１にその前端が枢着されることによりその枢着軸８を中心に起立自在に設けた起立部材３と、前記ルアー本体１内に収納されルアー本体１内において前方への移動により前記起立部材３を起立させることができる作動部材４とを備えているルアーであって、前記起立部材３は、少なくとも２個以上がルアー本体１の表面に収納されており、かつ起立部材３はルア−本体内部で前記作動部材４と係合するカムを備えており、前記作動部材４は前記カムと係合する係合部を備えていることを特徴とするルアーであり、
また、前記起立部材３はルアー本体１の表面の一部を切り取って形成した面を備えていることを特徴とするルアーであり、
また、前記カムは、起立部材３が閉じ状態の時にカム後端からカム前端に向かってルアー外側から内方に向かう略円弧状の曲線として形成したことを特徴とするルアーであり、
また、前記カムの前端部には、起立部材３が閉じ状態の時にルアーの中心部から斜め前方外方に向かうカム第１ロック部３ｄが形成されており、作動部材４が作動し前記起立部材３が起立状態に成った時にカム第１ロック部３ｄに前記作動部材４の係合部が係合して起立部材３の倒れを防止できるように構成したことを特徴とするルアーであり、
また、前記カムの後端部には前記起立部材３が閉じた状態の時にルアー中心方向に向かうカム第２ロック部３ｅが形成され、カム第２ロック部３ｅに前記作動部材４の係合部が係合して前記起立部材３を閉じ状態に保持し、前記起立部材３がルアー内側に向かう方向に移動し、前記作動部材４が作動状態になることによって起立部材３の閉じ状態を開放し、作動部材４の係合部がカム第２ロック部３ｅから外れて前記カムに沿って起立部材３の前方側への移動できるように構成したことを特徴とするルアーであり、
また、前記作動部材４は、ルアー本体１内において前後方向に移動可能な第１部材と、同第１部材から起立して形成した第２部材とを備え、前記第２部材に前記カムと係合する係合部が形成され、さらに前記第１部材はルアーの口から前方に突出して形成されていることを特徴とするルアーであり、
また、前記作動部材４は、弾性部材によって後方に付勢されていることを特徴とするルアーであり、
また、前記起立部材３は、弾性部材によって起立方向に付勢されていることを特徴とするルアーであり、
また、前記起立部材３の前端には、ルアー投入時に起立部材３の起立を防止するロック機構が設けられていることを特徴とするルアーであり、
また、前記ロック機構は、ルアー本体１内に形成した移動体収納部と、前記移動体収納部に収納されルアー投入時に起立部材前端側に向かって移動可能な移動体と、起立部材前端部に形成した移動体受入部とからなることを特徴とするルアーであり、
また、前記移動体は複数の球で構成され、前記移動体収納部内に遊動可能状態で収納されていることを特徴とするルアーであり、
また、前記起立部材３の表面側後端は、ルアーの移動時に水流によってルアー中心方向に押圧されるべく面として構成されていることを特徴とするルアーであり、
また、前記起立部材３の表面には魚の歯に絡みつく繊維束が設けられていること特徴とするルアーであり、
また、前記起立部材３の表面には返しを形成したこと特徴とするルアーであり、
また、ルアー本体１と、前記ルアー本体１の表面に設けた起立部材３と、この起立部材を起立させるためのリンク部材とを備えているルアーであって、前記起立部材には少なくとも２本のリンク部材が枢着されており、このリンク部材の下端が軸によってルアー本体側に揺動自在の枢着され、さらに、リンク部材の後方にはストッパ２２が設けられており、起立部材の後方への移動によりリンク部材の作用で起立部材がルアー本体から起立すべく構成されていることを特徴とするルアーであり、
また、ルアー本体１と、前記ルアー本体１の表面に設けた起立部材３と、この起立部材を起立させるためのリンク部材とを備えているルアーであって、前記起立部材には少なくとも２本のリンク部材が枢着されており、このリンク部材の下端がルアー本体内に設けた摺動部材に枢着され、さらにリンク部材の前方にはストッパ２２が設けられており、摺動部材の前方への移動により起立部材が起立すべく構成したことを特徴とするルアーであり、
、これらを課題解決のための手段とするものである。
【０００７】
【実施形態】
以下本発明の好ましい実施形態について説明する。図１は本発明に係る実施形態としてのルアーの側断面図、図２は図１中、起立部材３の要部拡大説明図、図３は作動部材をルアー本体内に収容した状態の斜視図、図４は他の例として作動部材にリターンスプリングを取り付けた状態の斜視図、図５（イ）は作動部材の斜視図、（ロ）は（イ）の平面図、（ハ）は別形状の作動部材の平面図、（ニ）は部材断面図、図６（イ）（ロ）は起立部材単体の側面図および作動説明図、図７（イ）（ロ）は他のカム形状を説明する起立部材単体の側面図およびカムの形状図、図８（イ）（ロ）は起立部材の他の形状図および斜視図、図９は起立部材の他の形状を示す説明図、図１０はルアーにロック機構を組み込んだルアー断面図および要部拡大図、図１１は移動体収納部の説明図、図１２（イ）（ロ）は他の起立方法の説明図である。
【０００８】
図１〜図５において、ルアー本体１内には空洞２が形成されており、この空洞２内に後述する少なくとも２個以上の起立部材３（本例では３個）を起立させるための作動部材４（詳細は後述する）がルアー本体１内部において前後方向（ただしルアーの頭側を前方、尾びれ側を後方とする）に移動可能に配置されている。
この作動部材４は図１に示すようにルアー本体１内に設けた軸受部材（ブロック）５を貫通して摺動自在に設けられており、作動部材４の先端はルアーの口から前方に突出し、適宜ラインと結合できる形状となっている。作動部材４は図３、図５に示すように、ルアー本体１内において前後方向に移動可能な第１部材４ａと、同第１部材４ａから起立して形成した複数（本例では起立部材が３個であるためのそれに合わせて３個）の第２部材４ｂとから構成されており、この第２部材４ｂに後述する起立部材３に形成したカム３ａと係合する係合部４ｃが形成されている。
【０００９】
前記作動部材４は、図５（ロ）に示すように後方側に略長方形の枠を形成し、その後端に第２部材４ｂを起立させ、この第２部材４ｂに係合部４ｃを形成して構成されているが、前記長方形の枠の代わりに三角形など他の形状を形成することも可能である。また、作動部材４は図５（ハ）に示すように第１部材４ａを一本の棒状とし、この後部に第２部材４ｂを起立させ、第２部材４ｂに係合部４ｃを形成することも可能である。また、作動部材４を構成する第１部材４ａ、第２部材４ｂの断面を図５（ニ）に示すような種々の断面とすることも可能である。要は、作動部材の基本的構成は第１部材４ａから起立した第２部材４ｂを形成し、第２部材４ｂに係合部４ｃを形成し、この係合部４ｃがカム３ａと係合し、カム３ａと係合部４ｃとの作用によって起立部材３を起立させることができる構成であればよい。また、作動部材は図４に示すように作動部材４と本体に形成したスプリング座１ｂとの間に設けたリターンスプリング６によってルアー後方に向けて所定の付勢力で付勢しておくことができる。このリターンスプリング６はラインテンションを緩和させるだけで容易に起立部材を収納することができる機能を有しており、コイルスプリングや輪ゴムなどを使用することができる。なお第１部材４ａ、第２部材４ｂは作動部材４を説明する上で付した名称であり、これらを一体に形成し作動部材とすることができることも当然である。
【００１０】
作動部材４の係合部４ｃが係合するカム３ａを備えた起立部材３は図１、図８（ロ）に示すようにルアー本体１の表面１ａを一部切り取って形成した表面３ｂを有しており、起立部材３のルアー内部側のカムプレート３ｃには起立部材３を起立させるための作用をなすカム３ａが形成されている。
このカムプレート３ｃに形成するカム３ａは、図６（イ）に示すように起立部材３が閉じ状態の時にカム３ａ後端からカム３ａ前端に向かってルアー外側から内方に向かう略円弧状の曲線として形成されている。このカム３ａはカムプレート３ｃに形成した溝状でもよいし、カムプレート３ｃの厚さが薄い場合には貫通孔として形成することも可能であり、要は前記係合部４ｃをガイドできるカム機能を果たすことができればよい。
【００１１】
前記カム３ａの前端部には、図６（イ）に示すように起立部材３が閉じ状態の時にルアーの中心部から斜め前方外方に向かうカム第１ロック部３ｄが形成されており、作動部材４が作動し前記起立部材３が起立状態に成った時にカム第１ロック部３ｄに前記作動部材４の係合部４ｃが係合し、図６（ロ）に示すように魚の噛む力が大きくても起立部材３が倒れないようにしている。また、前記カム３ａの後端部には、必要に応じて図７（イ）（ロ）に示すように前記起立部材３が閉じ状態の時にルアー中心方向に向かうカム第２ロック部３ｅが形成され、カム第２ロック部３ｅに前記作動部材４の係合部４ｃが図７（ロ）中▲１▼に示すように係合して前記起立部材３を閉じ状態に保持できる構成となっている。なお、このカム第２ロック部３ｅを設ける場合には、起立部材３とルアー本体１との間に起立部材３を外方向に付勢する弾性部材７を設けておく必要があり、この付勢力によって、起立部材３が常時開く方向に付勢され、それによって作動部材４の係合部４ｃがカム第２ロック部３ａ内に係合し、不用意に起立部材３が起立しないようにしている。そして、このカム第２ロック部３ａのロックの解除は、魚がルアーに食いつき、起立部材３を中心方向に押し込むと、図７（ロ）に示すように係合部４ｃが▲２▼の位置に移動しカム第２ロック部３ｅから外れ、さらに作動部材４の前方への移動によって係合部４ｃがカム３ａに沿って前方に移動し、この時のカム作用によって起立部材３を起立させることができる。
【００１２】
前記構成からなる起立部材３の前端部は、図２に示すようにルアー本体１の枢着軸８に枢着されており、起立部材３はこの枢着軸８を中心に起立できる構成となっている。なお、起立部材３がルアー本体１に収納された状態の時には起立部材３の表面がルアー本体１の表面の一部を成すように形成することが望ましいが、起立部材３の幅は設計時において適宜選択することが可能でり、また、必要に応じて起立部材３の幅を小さくし、起立部材３がルアー本体１の表面１ａより内部に収納された状態とすることもできる。
【００１３】
起立部材３の表面には必要に応じて図８（イ）（ロ）に示すように魚の歯に絡みつく繊維束９を設けたり、返し１０を設けたり、さらに図９に示すようにルアーを水中で泳がせている時に不用意に起立部材３が起立することが無いよう水流によって起立部材３をルアー中心方向に付勢する曲面１１を形成することも可能である。
【００１４】
以上の構成からなるルアーでは、作動部材４の先端部が従来のルアーと同様にラインに接続して使用される。ロッドを振り出してルアーを河川等のポイントに投げ込み、水中でルアーを引くとルアーは魚の求餌行動を誘う動きをする。この動きの時には、カム３ａ後端と作動部材４の係合部４ｃとの摩擦により起立部材３は起立しないが、魚がルアーに食いつき、係合部４ｃとカム３ａとの摩擦力に打ち勝つ力が発生すると作動部材４が前方に移動し、この作動部材４の移動によって係合部４ｃがカム３ａ内を前方に移動し、起立部材３を強制的に起立させる。起立部材３が起立状態になると、カム第１ロック部３ｄに係合部４ｃが係合し（図６（ロ）参照）、起立部材３の起立状態が維持される。この起立部材３の起立により魚の口からルアーが外れることがなく、魚を容易に吊り上げることができる。なおこの時、起立部材３に繊維束９や返し１０が設けてある場合には、口腔内面や歯に繊維束９や返し１０が引っ掛かり、さらにルアーが魚の口から抜け出しにくいように作用する。
魚をルアーから外すときは、作動部材４をルアーの後方側に移動することで、簡単に魚を外すことができる。
【００１５】
なお、上記ルアーの場合には、ルアーを水中で泳がせている時には作動部材４の係合部４ｃとカム３ａ後端との摩擦力によって起立部材３が非起立状態となっているが、作動部材４に図４に示すようなリターンスプリング６を設けておいた場合には、魚の引きの強さが所定値以上にならないと作動部材が移動して起立部材を起立できないようにすることができる。また、図７に示すようにカム３ａの後端にカム第２ロック部３ｅを形成しておくと、魚が起立部材３を所定の力で押圧しない限り起立部材３を起立させることができず、誤差動による起立部材３の起立を回避することができる。
【００１６】
また、起立部材３がルアー投げ込み時に起立することの無いようにしたロック機構を起立部材３の前側に設けることができる。以下このロック機構を説明する。
図１０（イ）（ロ）はそのロック機構を備えたルアーの直立状態の断面図、およびロック機構の要部拡大図、図１１はロック機構の移動体収納部の説明図である。
【００１７】
図１０、図１１において、ロック機構はルアー本体１側に形成した移動体収納部１２を備えている。この移動体収納部１２は図１１に示すようにルアーの前端内側に向かう傾斜面１３を備えており、この収納部１２内には球等からなる移動体１４が１個または複数個収納されている。移動体１４を複数収納した場合には、ルアーが水中で移動する際に音を発し、これにより魚のラトル効果を得ることができる。また起立部材３の前端には、起立部材３が閉じ状態の時に移動体を受け入れることができる移動体受入部１５が形成されており、これらによってロック機構が構成されている。
【００１８】
このロック機構は、ルアーが投げ込まれるまで、重力によって図１０（イ）に示す状態となっており移動体１４が重力により移動体収納部の後方にある移動体受入部１５に移動し、起立部材３がルアー本体１から起立することを禁止（ロック）している。そして、ルアーが投げ込まれている間は遠心力によりロック状態を維持しており起立部材３は起立しない。ルアーが着水後は、ルアーは水平状態となり、傾斜面１３により移動体が移動体収納部１２の前方に戻り、ロック機構が外れ起立部材３が起立可能状態となる。
【００１９】
なお、移動体収納部１２の形状としては図１１（ロ）示すように断面が前端に行くに連れて深くなる傾斜面として形成し、さらに収納部後部形状を移動体が１個のみ入る幅として形成することによりロック状態を安定させることができる。また移動体の初期移動を抑制するために図１１（ハ）傾斜面の前端に移動体の重さ，大きさに合わせた磁石や突起１６を取り付け、鉄等の磁性体からなる移動体１４を吸着しておく、あるいは突起により不用意に移動しないようにしておくことも可能である。さらに移動体１４は図１１（イ）に示すようにロール状でも良い。
【００２０】
つづいて図１２を参照して他の実施形態を説明する。
前述した実施形態は起立部材３をカムプレート３ｃに形成したカム３ａと、このカム３ａに係合する係合部４ｃとによって起立動作させる構成となっていたが、図１２（イ）に示すものは、平行リンクを使用し起立部材を起立させる構成を採用している。図１２において、起立部材には少なくとも２本のリンク部材が枢着されており、このリンク部材の下端が軸２３によって本体側に揺動自在に枢着されている。リンク部材の後方にはストッパ２２が設けられ、また起立部材の表面には適宜繊維束９が設けられている。このルアーでは、起立部材は非作動状態の時は点線のようにリンクが前方に倒れた状態となり、起立部材の表面がルアーの表面と連続面となっているが、魚がルアーをくわえ魚の口と起立部材３の間の抵抗や繊維束が魚の歯等への引っ掛かりで、起立部材が後方に移動し、リンク部材がストッパ２２に当たる位置まで起立し魚の口から抜け出さぬ構成としてある。また、図１２（ロ）に示すものは、リンク部材の下端がラインに連結された摺動部材２４に枢着されており、魚がルアーをくわえ、ラインに引っ張り力が作用すると、摺動部材２４が前方に移動し、摺動部材に枢着されているリンク部材が前方に移動しストッパ２２の作用によって起立する機構を採用している。
【００２１】
以上本発明に係るルアーについて説明したが、上記ルアーにおいて移動体収納部１２の形状、移動体受入部１５の形状、移動体１４の形状等は設計時において、同様の機能を達成できる形状のものを適宜選択することができことは当然であり、また、起立部材３の数や形状もルアーの形状に合わせて、さらに起立部材の起立状態なども適宜選択することができ、さらに起立部材３の表面の状態もルアーに合わせて適宜選択できることは当然である。また本発明はその精神及び必須特徴事項から逸脱することなく他の方法で実施することができる。
【００２２】
【発明の効果】
以上詳細に説明したように本発明のルアーによれば、ルアー本体にその前端が枢着されることによりその枢軸を中心に起立自在に設けた起立部材とこの起立部材をカムを使用して起立させることができる作動部材とを備えたことにより、ロッドを振り出して河川等のポイントにルアーを投げ込んで使用しても、近くの草木にルアーが引っ掛かることが無くなり、またフックが河川の藻などに引っ掛かりルアーの取り込みが困難になる等の不都合が無くなる。また、魚がルアーを飲み込んだときに所定の強度、硬さをもった起立部材が確実に起立するため、魚を容易に吊り上げることができる。また、ロック機構を設けることにより起立部材の不用意な起立状態を回避することができる。さらにカム形状を工夫することにより、起立部材が不用意に起立したり、魚がルアーをくわえた時に起立部材が倒れてしまう等という不都合を回避することができる。更にフックが近くにいる人などに引っ掛かり怪我をさせることも防止できる。またスポーツフィッシングの対象となるブラックバスなどの魚はルアーで釣り上げた後、再び魚をリリースすることが多いが、この場合にもフックがないため、魚に傷が付くことがなく、傷から細菌などが侵入し魚の寿命が縮まることも防止できる。また一旦リリースした魚はフックの恐怖から、次のルアーへの食いつきが悪くなるのが普通であるが、この針のない釣針の場合には却って魚の闘争心を掻き立て釣の興味が倍増する等の優れた効果を奏する。
【図面の簡単な説明】
【図１】本発明に係る実施形態としてのルアーの側断面図である。
【図２】図１中、起立部材の要部拡大説明図である。
【図３】作動部材をルアー本体内に収容した状態の斜視図である。
【図４】他の例としての作動部材４にリターンスプリングを取り付けた状態の斜視図である。
【図５】（イ）は作動部材の斜視図、（ロ）は（イ）の平面図、（ハ）は別形状をした作動部材の平面図、（ニ）は作動部材の断面図の例である。
【図６】（イ）（ロ）は起立部材３単体の側面図および作動説明図である。
【図７】（イ）（ロ）は他のカム形状を説明する起立部材単体の側面図およびカムの形状図である。
【図８】（イ）（ロ）は起立部材の他の形状図および斜視図である。
【図９】起立部材の他の形状を示す説明図である。
【図１０】ルアーにロック機構を組み込んだルアー断面図および要部拡大図である。
【図１１】移動体収納部の説明図である。
【図１２】他の実施形態の説明図である。
【符号の説明】
１            ルアー本体
１ａ          ルアー本体の表面
１ｂ          スプリング座
２            空洞
３            起立部材
３ａ          カム
３ｂ          起立部材の表面
３ｃ          カムプレート
３ｄ          カム第１ロック部
３ｅ          カム第２ロック部
４            作動部材
４ａ          第１部材
４ｂ          第２部材
４ｃ          係合部
５            軸受部材（ブロック）
６            リターンスプリング
７            弾性部材
８            枢着軸
９            繊維束
１０            返し
１１            曲面
１２            移動体収納部
１３            傾斜面
１４            移動体
１５            移動体受入部
１６            磁石または突起
２１            リンク部材
２２            ストッパ
２３            軸
２４            摺動部材
【図１】
2004229525.tif 000003
【図２】
2004229525.tif 000004
【図３】
2004229525.tif 000005
【図４】
2004229525.tif 000006
【図５】
2004229525.tif 000007
【図６】
2004229525.tif 000008
【図７】
2004229525.tif 000009
【図８】
2004229525.tif 000010
【図９】
2004229525.tif 000011
【図１０】
2004229525.tif 000012
【図１１】
2004229525.tif 000013
【図１２】
2004229525.tif 000014